(57)【特許請求の範囲】
【請求項１】
排出口から第１方向に記録媒体を排出するように構成された排出機構と、
前記排出機構の前記排出口から排出された記録媒体を受容する受容面を有する受容部材と、
前記受容部材の前記受容面に受容された記録媒体の前記第１方向の上流側端部又は下流側端部に当接する当接面を有する当接部材と、
前記受容部材の前記受容面よりも上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えており、
前記一対のガイド部材のそれぞれには、前記第２方向における内側に向かって凸形状となるように形成された凸形状部が、前記長手方向に沿って連続的に形成されており、
前記一対のガイド部材は、前記凸形状部の先端が、前記排出機構の前記排出口から排出されて前記受容部材の前記受容面に向かって落下する記録媒体の前記第２方向の両側に当接する位置に配置されており、
前記凸形状部の先端は、その上方が下方よりも前記第１方向の下流側に位置するように、傾いて延在していることを特徴とする排出装置。
【請求項２】
排出口から第１方向に記録媒体を排出するように構成された排出機構と、
前記排出機構の前記排出口から排出された記録媒体を受容する受容面を有する受容部材と、
前記受容部材の前記受容面に受容された記録媒体の前記第１方向の上流側端部又は下流側端部に当接する当接面を有する当接部材と、
前記受容部材の前記受容面よりも上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えており、
前記一対のガイド部材のそれぞれには、前記第２方向における内側に向かって凸形状となるように形成された凸形状部が、前記長手方向に沿って連続的に形成されており、
前記一対のガイド部材は、前記凸形状部の先端が、前記排出機構の前記排出口から排出されて前記受容部材の前記受容面に向かって落下する記録媒体の前記第２方向の両側に当接する位置に配置されており、
さらに前記一対のガイド部材は、その上端部に、前記第１方向の上流側端部から下流側端部に近づくほど上方に位置するように傾斜する傾斜面を有しており、
前記傾斜面は、前記上端部の前記第１方向の上流側端部から前記下流側端部に向かって延在していることを特徴とする排出装置。
【請求項３】
上端が前記受容面よりも上方に位置し、前記受容面よりも前記第１方向の下流側であって前記排出口から排出された記録媒体の前記第１方向の下流側端部に当接可能に配置されたストッパ部材をさらに備えており、
前記受容面は、前記第１方向の下流側端部が上流側端部よりも上方となるように傾斜しており、
前記当接面は、前記受容面よりも前記第１方向の上流側に配置され、前記受容面に受容される記録媒体の前記第１方向の上流側端部と当接し、
前記凸形状部の先端は、前記排出口から排出され前記ストッパ部材に当接する記録媒体の前記第２方向の両側に当接する位置に配置されていることを特徴とする請求項１又は２に記載の排出装置。
【請求項４】
前記受容面は、水平に延在していることを特徴とする請求項１又は２に記載の排出装置。
【請求項５】
前記受容面は、前記第１方向の上流側端部が下流側端部よりも上方となるように傾斜していることを特徴とする請求項１又は２に記載の排出装置。
【請求項６】
前記一対のガイド部材は、前記第１方向の上流側端部に、当該上流側端部から前記凸形状部の先端に近づくほど前記第２方向に沿って内側に位置するように傾斜する第１傾斜面を有していることを特徴とする請求項１〜５のいずれか１項に記載の排出装置。
【請求項７】
前記一対のガイド部材は、その上端部に、前記第２方向の内側端部から外側端部に近づくほど上方に位置するように傾斜する第２傾斜面を有しており、
前記第２傾斜面は、前記上端部の前記第１方向の上流側端部から前記下流側端部に向かって延在していることを特徴とする請求項１〜６のいずれか１項に記載の排出装置。
【請求項８】
前記一対のガイド部材は、前記第２方向に沿って移動可能に前記受容部材に支持されていることを特徴とする請求項１〜７のいずれか１項に記載の排出装置。
【請求項９】
前記排出機構を制御する制御部と、
前記排出口から排出された記録媒体が前記一対のガイド部材よりも上方の位置に配置されたときに、当該記録媒体を検知する検知手段とをさらに備えており、
前記制御部は、前記検知手段から出力された記録媒体が前記上方の位置に配置されたことを示す信号に基づいて、前記排出口からの記録媒体の排出を停止することを特徴とする請求項８に記載の排出装置。
【請求項１０】
前記ストッパ部材は、前記第２方向に直交し前記受容面に平行な方向に沿って移動可能に前記受容部材に支持されていることを特徴とする請求項３に記載の排出装置。
【請求項１１】
前記凸形状部の先端が、前記第２方向に沿って互いに対向する位置に配置されていることを特徴とする請求項１〜１０のいずれか１項に記載の排出装置。
【請求項１２】
前記凸形状部の先端は、記録媒体と点接触可能な形状を有していることを特徴とする請求項１〜１１のいずれか１項に記載の排出装置。
【請求項１３】
排出口から第１方向に記録媒体を排出するように構成された排出機構と、前記排出機構の前記排出口から排出された記録媒体を受容するように構成された受容トレイとを含む排出装置の、前記受容トレイに装着される着脱式トレイにおいて、
前記受容トレイ上に配置される受容部材であって、前記排出機構の前記排出口から排出された記録媒体を受容する受容面を有する前記受容部材と、
前記受容部材の前記受容面から上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えており、
前記一対のガイド部材のそれぞれには、前記第２方向における内側に向かって凸形状となるように形成された凸形状部が、前記長手方向に沿って連続的に形成されており、
前記一対のガイド部材は、前記凸形状部の先端が、前記排出機構の前記排出口から排出されて前記受容部材の前記受容面に向かって落下する記録媒体の前記第２方向の両側に当接する位置に配置されており、
前記凸形状部の先端は、その上方が下方よりも前記第１方向の下流側に位置するように、傾いて延在していることを特徴とする着脱式トレイ。
【請求項１４】
排出口から第１方向に記録媒体を排出するように構成された排出機構と、前記排出機構の前記排出口から排出された記録媒体を受容するように構成された受容トレイとを含む排出装置の、前記受容トレイに装着される着脱式トレイにおいて、
前記受容トレイ上に配置される受容部材であって、前記排出機構の前記排出口から排出された記録媒体を受容する受容面を有する前記受容部材と、
前記受容部材の前記受容面から上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えており、
前記一対のガイド部材のそれぞれには、前記第２方向における内側に向かって凸形状となるように形成された凸形状部が、前記長手方向に沿って連続的に形成されており、
前記一対のガイド部材は、前記凸形状部の先端が、前記排出機構の前記排出口から排出されて前記受容部材の前記受容面に向かって落下する記録媒体の前記第２方向の両側に当接する位置に配置されており、
さらに前記一対のガイド部材は、その上端部に、前記第１方向の上流側端部から下流側端部に近づくほど上方に位置するように傾斜する傾斜面を有しており、
前記傾斜面は、前記上端部の前記第１方向の上流側端部から前記下流側端部に向かって延在していることを特徴とする着脱式トレイ。
【請求項１５】
上端が前記受容面よりも上方に位置し、前記受容面よりも前記第１方向の下流側であって前記排出口から排出された記録媒体の前記第１方向の下流側端部に当接可能に前記受容部材に設けられたストッパ部材をさらに備えており、
前記受容面は、前記第１方向の下流側端部が上流側端部よりも上方となるように傾斜し、
前記凸形状部の先端は、前記排出口から排出され前記ストッパ部材に当接する記録媒体の前記第２方向の両側に当接する位置に配置されることを特徴とする請求項１３又は１４に記載の着脱式トレイ。
【請求項１６】
前記受容部材の前記受容面よりも前記第１方向の上流側に設けられ、前記受容面に受容される記録媒体の前記第１方向の上流側端部に当接する当接面を有する当接部材をさらに備えており、
前記当接面は、前記第２方向に沿って平らであることを特徴とする請求項１５に記載の着脱式トレイ。
【発明の詳細な説明】
【技術分野】
【０００１】
本発明は、記録媒体を排出する排出装置、及び、着脱式トレイに関する。
【背景技術】
【０００２】
特許文献１には、給紙部から給紙された用紙に画像を印刷するプリンタ本体と、プリンタ本体から排出された用紙を支持する排紙部とを含む電子写真記録装置が記載されている。この電子写真記録装置の排紙部は、垂直に延びる板状の本体部をそれぞれ有する一対のリヤガイドと、一対のリヤガイド間に配置され、プリンタ本体から排出された用紙を支持するスタッキングプレートとを有する。プリンタ本体の排出口から排出された用紙は、一対のリヤガイドによって案内され、幅方向の移動が規制された状態で排出口よりも下方にあるスタッキングプレート上に積載される。
【先行技術文献】
【特許文献】
【０００３】
【特許文献１】特開２００１−２２５９６３号公報
【発明の概要】
【発明が解決しようとする課題】
【０００４】
上記特許文献１に記載の技術においては、排出口から排出された用紙を垂直に延びる板状の本体部によって整列させてスタッキングプレート上に積載させている。スタッキングプレート上における用紙の整列性を向上させるには、本体部の間隔を用紙の幅よりもあまり大きくできない。しかしながら、排出口から排出された用紙が斜行している場合、本体部間に挟まって詰まるという問題が生じる。排出口から排出された用紙が本体部間で詰まらないように、本体部の間隔を用紙の幅よりも著しく大きく広げることが考えられるが、本体部の間隔が大きいと、その分だけ用紙が幅方向にばらついて積層されるという問題が生じる。
【０００５】
そこで、本発明の目的は、排出口から斜行して排出された記録媒体が一対のガイド部材間で詰まるのを抑制しつつ、記録媒体の整列性を向上させることが可能な排出装置及び着脱式トレイを提供することである。
【課題を解決するための手段】
【０００６】
本発明の排出装置は、第１の観点では、排出口から第１方向に記録媒体を排出するように構成された排出機構と、前記排出機構の前記排出口から排出された記録媒体を受容する受容面を有する受容部材と、前記受容部材の前記受容面に受容された記録媒体の前記第１方向の上流側端部又は下流側端部に当接する当接面を有する当接部材と、前記受容部材の前記受容面よりも上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えている。そして、前記一対のガイド部材のそれぞれには、前記第２方向における内側に向かって凸形状となるように形成された凸形状部が、前記長手方向に沿って連続的に形成されており、前記一対のガイド部材は、前記凸形状部の先端が、前記排出機構の前記排出口から排出されて前記受容部材の前記受容面に向かって落下する記録媒体の前記第２方向の両側に当接する位置に配置されており、前記凸形状部の先端は、その上方が下方よりも前記第１方向の下流側に位置するように、傾いて延在している。
【０００７】
これによると、一対のガイド部材のそれぞれが凸形状部を有しているため、一対のガイド部材（凸形状部の先端）間を記録媒体の幅よりも著しく大きく広げなくても、排出口から斜行して排出された記録媒体が一対のガイド部材間で詰まるのを抑制しつつ、記録媒体の整列性を向上させることが可能となる。また、記録媒体が排出口から排出されたときに、当該記録媒体が一対のガイド部材の凸形状部の先端の上方に当接しても、先端の上方は排出口から比較的離れた位置にあるため、記録媒体が凸形状部の先端と排出口との間で撓みやすくなる。このため、記録媒体が凸形状部の先端部と排出口との間で詰まりにくくなる。
また、本発明の排出装置は、第２の観点では、排出口から第１方向に記録媒体を排出するように構成された排出機構と、前記排出機構の前記排出口から排出された記録媒体を受容する受容面を有する受容部材と、前記受容部材の前記受容面に受容された記録媒体の前記第１方向の上流側端部又は下流側端部に当接する当接面を有する当接部材と、前記受容部材の前記受容面よりも上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えている。そして、前記一対のガイド部材のそれぞれには、前記第２方向における内側に向かって凸形状となるように形成された凸形状部が、前記長手方向に沿って連続的に形成されており、前記一対のガイド部材は、前記凸形状部の先端が、前記排出機構の前記排出口から排出されて前記受容部材の前記受容面に向かって落下する記録媒体の前記第２方向の両側に当接する位置に配置されており、さらに前記一対のガイド部材は、その上端部に、前記第１方向の上流側端部から下流側端部に近づくほど上方に位置するように傾斜する傾斜面を有しており、前記傾斜面は、前記上端部の前記第１方向の上流側端部から前記下流側端部に向かって延在している。
これによると、一対のガイド部材のそれぞれが凸形状部を有しているため、一対のガイド部材（凸形状部の先端）間を記録媒体の幅よりも著しく大きく広げなくても、排出口から斜行して排出された記録媒体が一対のガイド部材間で詰まるのを抑制しつつ、記録媒体の整列性を向上させることが可能となる。また、排出口から排出された記録媒体を一対のガイド部材上に配置させやすくなる。
【０００８】
本発明において、上端が前記受容面よりも上方に位置し、前記受容面よりも前記第１方向の下流側であって前記排出口から排出された記録媒体の前記第１方向の下流側端部に当接可能に配置されたストッパ部材をさらに備えている。そして、前記受容面は、前記第１方向の下流側端部が上流側端部よりも上方となるように傾斜しており、前記当接面は、前記受容面よりも前記第１方向の上流側に配置され、前記受容面に受容される記録媒体の前記第１方向の上流側端部と当接し、前記凸形状部の先端は、前記排出口から排出され前記ストッパ部材に当接する記録媒体の前記第２方向の両側に当接する位置に配置されていることが好ましい。これにより、記録媒体が当接面に向かって受容面をすべり落ちる際に、記録媒体が凸形状部の先端に引っ掛かるのを防ぐことが可能となる。
【０００９】
また、本発明において、前記受容面は、水平に延在していることが好ましい。これにより、排出口から排出された記録媒体がその第１方向側へ移動しやすくなり、記録媒体が排出口から斜行して排出されても当該記録媒体がより回転しやすく整列しやすくなる。
【００１０】
また、本発明において、前記受容面は、前記第１方向の上流側端部が下流側端部よりも上方となるように傾斜していることが好ましい。これにより、排出口から排出された記録媒体がその第１方向側へより移動しやすくなり、記録媒体が排出口から斜行して排出されても当該記録媒体がより回転しやすく整列しやすくなる。
【００１２】
また、本発明において、前記一対のガイド部材は、前記第１方向の上流側端部に、当該上流側端部から前記凸形状部の先端に近づくほど前記第２方向に沿って内側に位置するように傾斜する第１傾斜面を有していることが好ましい。これにより、排出口から排出された記録媒体が、一対のガイド部材の凸形状部の先端と排出口との間で詰まりにくくなる。
【００１３】
また、本発明において、前記一対のガイド部材は、その上端部に、前記第２方向の内側端部から外側端部に近づくほど上方に位置するように傾斜する第２傾斜面を有しており、前記第２傾斜面は、前記上端部の前記第１方向の上流側端部から前記下流側端部に向かって延在していることが好ましい。これにより、排出口から排出された記録媒体が一対のガイド部材の上端部に接触しても、当該記録媒体を受容面へと導きやすくなる。
【００１４】
また、本発明において、前記一対のガイド部材は、前記第２方向に沿って移動可能に前記受容部材に支持されていることが好ましい。これにより、記録媒体のサイズに応じて、一対のガイド部材の間隔を調整することが可能となる。
【００１６】
また、本発明において、前記排出機構を制御する制御部と、前記排出口から排出された記録媒体が前記一対のガイド部材よりも上方の位置に配置されたときに、当該記録媒体を検知する検知手段とをさらに備えている。そして、前記制御部は、前記検知手段から出力された記録媒体が前記上方の位置に配置されたことを示す信号に基づいて、前記排出口からの記録媒体の排出を停止することが好ましい。これにより、記録媒体がガイド部材よりも上方の位置に配置された状態で、記録媒体が排出されるのを防ぐことが可能となる。
【００１７】
また、本発明において、前記ストッパ部材は、前記第２方向に直交し前記受容面に平行な方向に沿って移動可能に前記受容部材に支持されていることが好ましい。これにより、記録媒体のサイズに応じて、ストッパ部材の位置を調整することが可能となる。
【００１８】
また、本発明において、前記凸形状部の先端が、前記第２方向に沿って互いに対向する位置に配置されていることが好ましい。これにより、記録媒体の幅以上であるものの一対のガイド部材（凸形状部の先端）間をより狭くすることが可能となり、記録媒体の整列性を向上させることが可能となる。
【００１９】
また、本発明において、前記凸形状部の先端は、記録媒体と点接触可能な形状を有していることが好ましい。これにより、記録媒体の整列性を向上させることができる。
【００２０】
また、本発明の着脱式トレイは、第１の観点では、排出口から第１方向に記録媒体を排出するように構成された排出機構と、前記排出機構の前記排出口から排出された記録媒体を受容するように構成された受容トレイとを含む排出装置の、前記受容トレイに装着される着脱式トレイにおいて、前記受容トレイ上に配置される受容部材であって、前記排出機構の前記排出口から排出された記録媒体を受容する受容面を有する前記受容部材と、前記受容部材の前記受容面から上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えている。そして、前記一対のガイド部材のそれぞれには、前記第２方向における内側に向かって凸形状となるように形成された凸形状部が、前記長手方向に沿って連続的に形成されており、前記一対のガイド部材は、前記凸形状部の先端が、前記排出機構の前記排出口から排出されて前記受容部材の前記受容面に向かって落下する記録媒体の前記第２方向の両側に当接する位置に配置されており、前記凸形状部の先端は、その上方が下方よりも前記第１方向の下流側に位置するように、傾いて延在している。
【００２１】
これによると、一対のガイド部材のそれぞれが凸形状部を有しているため、一対のガイド部材（凸形状部の先端）間を記録媒体の幅よりも著しく大きく広げなくても、排出口から斜行して排出された記録媒体が一対のガイド部材間で詰まるのを抑制しつつ、記録媒体の整列性を向上させることが可能となる。また、記録媒体が排出口から排出されたときに、当該記録媒体が一対のガイド部材の凸形状部の先端の上方に当接しても、先端の上方は排出口から比較的離れた位置にあるため、記録媒体が凸形状部の先端と排出口との間で撓みやすくなる。このため、記録媒体が凸形状部の先端部と排出口との間で詰まりにくくなる。
また、本発明の着脱式トレイは、第２の観点では、排出口から第１方向に記録媒体を排出するように構成された排出機構と、前記排出機構の前記排出口から排出された記録媒体を受容するように構成された受容トレイとを含む排出装置の、前記受容トレイに装着される着脱式トレイにおいて、前記受容トレイ上に配置される受容部材であって、前記排出機構の前記排出口から排出された記録媒体を受容する受容面を有する前記受容部材と、前記受容部材の前記受容面から上方に突出し当該突出方向が長手方向となるように形成され、前記排出機構の前記排出口から排出されて前記受容部材の前記受容面に向かって落下する記録媒体を前記第１方向と直交し前記受容部材の前記受容面に平行な第２方向の両側からガイドする一対のガイド部材とを備えている。そして、前記一対のガイド部材のそれぞれには、前記第２方向における内側に向かって凸形状となるように形成された凸形状部が、前記長手方向に沿って連続的に形成されており、前記一対のガイド部材は、前記凸形状部の先端が、前記排出機構の前記排出口から排出されて前記受容部材の前記受容面に向かって落下する記録媒体の前記第２方向の両側に当接する位置に配置されており、さらに前記一対のガイド部材は、その上端部に、前記第１方向の上流側端部から下流側端部に近づくほど上方に位置するように傾斜する傾斜面を有しており、前記傾斜面は、前記上端部の前記第１方向の上流側端部から前記下流側端部に向かって延在している。
これによると、一対のガイド部材のそれぞれが凸形状部を有しているため、一対のガイド部材（凸形状部の先端）間を記録媒体の幅よりも著しく大きく広げなくても、排出口から斜行して排出された記録媒体が一対のガイド部材間で詰まるのを抑制しつつ、記録媒体の整列性を向上させることが可能となる。また、排出口から排出された記録媒体を一対のガイド部材上に配置させやすくなる。
【００２２】
本発明において、上端が前記受容面よりも上方に位置し、前記受容面よりも前記第１方向の下流側であって前記排出口から排出された記録媒体の前記第１方向の下流側端部に当接可能に前記受容部材に設けられたストッパ部材をさらに備えている。そして、前記受容面は、前記第１方向の下流側端部が上流側端部よりも上方となるように傾斜し、前記凸形状部の先端は、前記排出口から排出され前記ストッパ部材に当接する記録媒体の前記第２方向の両側に当接する位置に配置されることが好ましい。これにより、記録媒体が当接面に向かって受容面をすべり落ちる際に、記録媒体が凸形状部の先端に引っ掛かるのを防ぐことが可能となる。
【００２３】
また、本発明において、前記受容部材の前記受容面よりも前記第１方向の上流側に設けられ、前記受容面に受容される記録媒体の前記第１方向の上流側端部に当接する当接面を有する当接部材をさらに備えている。そして、前記当接面は、前記第２方向に沿って平らであることが好ましい。これにより、受容トレイの当接部材と対向する面が凹凸形状であっても、着脱式トレイが平らな当接面を有する当接部材を含むため、記録媒体の斜行を補正することができる。
【発明の効果】
【００２４】
本発明の排出装置及び着脱式トレイによると、一対のガイド部材のそれぞれが凸形状部を有しているため、一対のガイド部材（凸形状部の先端）間を記録媒体の幅よりも著しく大きく広げなくても、排出口から斜行して排出された記録媒体が一対のガイド部材間で詰まるのを抑制しつつ、記録媒体の整列性を向上させることが可能となる。なお、本発明に係る排出装置は、プリンタなどの記録媒体を搬送する装置の一部として組み込まれていてもよいし、通常のプリンタに本発明に係る着脱式トレイが装着されることで本発明に係る排出装置が構成されてもよい。
【図面の簡単な説明】
【００２５】
【図１】本発明の一実施形態に係る排出装置を含むインクジェットプリンタの斜視図である。
【図２】図１に示すプリンタの内部構造を示す概略側面図である。
【図３】図１に示す着脱式トレイの斜視図である。
【図４】（ａ）はプリンタの押圧部を示す斜視図であり、（ｂ）は押圧部に含まれる押圧部材の揺動範囲を示す側面図であり、（ｃ）は用紙の量に応じて押圧部材が揺動する状況を示す側面図である。
【図５】（ａ）は排出口から用紙が排出されているときの状況を示す側面図であり、（ｂ）は排出された用紙がストッパ部材に当接したときの状況を示す側面図である。
【図６】（ａ）は斜行した用紙が受容面に向かって落下するときの状況を示す平面図であり、（ｂ）は斜行した用紙が当接面に向かって受容面上をすべり落ちるときの状況を示す平面図であり、（ｃ）は用紙が当接面に当接したときの状況を示す平面図である。
【図７】プリンタの制御部が実行する制御内容を示すフロー図である。
【図８】第１変形例に係る着脱式トレイが装着された排出装置の部分側面図である。
【図９】第２変形例に係る着脱式トレイが装着された排出装置の部分側面図である。
【図１０】第３変形例に係るガイド部材の斜視図である。
【図１１】第４変形例に係るガイド部材の斜視図である。
【図１２】第５変形例に係るガイド部材の斜視図である。
【発明を実施するための形態】
【００２６】
本発明の一実施形態に係る排出装置１０１を含むインクジェットプリンタ（以下、単に「プリンタ」と称す。）１００について、図１〜図４を参照しつつ以下に説明する。プリンタ１００は、図１に示すように、略直方体形状の筐体１００ａを有する。筐体１００ａには、筐体１００ａの正面（図１の紙面左手前側の面、図２の紙面左側の面）に手差しトレイ１００ｄが開閉可能に取り付けられている。筐体１００ａの天板上部には、受容トレイ１００ｅが設けられている。また、筐体１００ａの上部には、受容トレイ１００ｅに用紙Ｐを排出するための排出口１００ｆが形成されている。排出口１００ｆは、筐体１００ａに形成された開口である。筐体１００ａにおける排出口１００ｆの近傍には、押圧部１４０が設けられている。
【００２７】
受容トレイ１００ｅは、図１及び図２に示すように、筐体１００ａの上壁１００ｔと、鉛直方向に延在する３つの側壁１００ｓ１〜１００ｓ３とによって構成されている。側壁１００ｓ１は、図２に示すように、その上端が排出口１００ｆを画定し、その下端が上壁１００ｔにおける第１方向Ｄ１（排出口１００ｆから用紙Ｐが排出される方向）上流側の端部と対向している。２つの側壁１００ｓ２，１００ｓ３は、主走査方向（第１方向Ｄ１と直交する方向であって受容面２ａと平行な第２方向）Ｄ２において、上壁１００ｔの両端から垂直に延在して形成されている。上壁１００ｔは、水平面に対して傾斜した傾斜面１００ｔ１を有する。傾斜面１００ｔ１は、第１方向Ｄ１の下流側端部が上流側端部よりも上方となるように傾斜している。受容トレイ１００ｅ上には、着脱式トレイ１が装着されている。
【００２８】
筐体１００ａの内部空間には、図２に示すように、前処理液（インクの滲みや裏抜けを防止する機能、インクの発色性や速乾性を向上させる機能等を有する液体）を吐出するヘッド１１０ａ、インクを吐出するヘッド１１０ｂ、２つのプラテン１５０、給紙機構１２０、搬送機構１３０及び制御部１８０が配置されている。本実施形態における排出装置１０１は、着脱式トレイ１及び排出機構１０２によって構成されている。排出機構１０２は、搬送機構１３０及び排出口１００ｆを画定する側壁１００ｓ１を含む。
【００２９】
ヘッド１１０ａ，１１０ｂは、互いに同じ構造であって、主走査方向Ｄ２に長尺な略直方体形状を有する。即ち、プリンタ１００は、ライン式のインクジェットプリンタである。各ヘッド１１０ａ，１１０ｂは、圧力室を含む流路が形成された流路ユニット、及び、圧力室の液体（前処理液又はインク）に圧力を与えるアクチュエータを含む。流路ユニットの底面は、液体を吐出するための複数の吐出口が形成された吐出面１１０ｘである。ヘッド１１０ａの流路ユニットには、前処理液を貯留したカートリッジ（不図示）から前処理液が供給される。ヘッド１１０ｂの流路ユニットには、インクを貯留したカートリッジ（不図示）からインクが供給される。
【００３０】
プラテン１５０は、ヘッド１１０ａ，１１０ｂ毎に設けられている。各プラテン１５０は、平板状の部材である。プラテン１５０は、ヘッド１１０ａ，１１０ｂの下方にそれぞれ配置され、鉛直方向に関して当該ヘッドの吐出面１１０ｘと離隔しつつ対向している。プラテン１５０の表面は、ヘッド１１０ａ，１１０ｂによって記録が行われる用紙Ｐを支持する支持面１５０ｘである。
【００３１】
給紙機構１２０は、複数枚の用紙Ｐを収容可能な給紙トレイ１２１、及び、給紙トレイ１２１に取り付けられた給紙ローラ１２１ｒを含む。給紙トレイ１２１は、筐体１００ａに対して副走査方向に着脱可能である。給紙ローラ１２１ｒは、制御部１８０による制御の下、給紙モータ（不図示）の駆動により回転して給紙トレイ１２１の最も上方にある用紙Ｐを送り出す。
【００３２】
搬送機構１３０は、ガイド１３１、ローラ対１３２〜１３８及びローラ１３９ａ〜１３９ｅを含む。ガイド１３１は、給紙機構１２０から２つのヘッド１１０ａ，１１０ｂの吐出面１１０ｘと支持面１５０ｘとの間を通過して受容トレイ１００ｅ上の着脱式トレイ１に至る用紙Ｐの搬送経路と、手差しトレイ１００ｄからヘッド１１０ａ，１１０ｂの吐出面１１０ｘと支持面１５０ｘとの間を通過して受容トレイ１００ｅ上の着脱式トレイ１に至る用紙Ｐの搬送経路とを形成している。ローラ対１３２〜１３８及びローラ１３９ａ〜１３９ｅは、搬送経路に沿って配置されている。ローラ対１３２〜１３８は、制御部１８０による制御の下、搬送モータ（不図示）の駆動により回転して、給紙機構１２０により送り出された用紙Ｐに搬送力を付与する。
【００３３】
搬送機構１３０によって搬送された用紙Ｐがヘッド１１０ａ，１１０ｂの吐出面１１０ｘと支持面１５０ｘとの間を通過する際に、制御部１８０による制御の下、ヘッド１１０ａ，１１０ｂが駆動して吐出口から液体を吐出する。吐出された液体が用紙Ｐに着弾することで、用紙Ｐに画像が形成される。画像が形成された（即ち、記録された）用紙Ｐは、排出口１００ｆから第１方向Ｄ１に排出されて、受容トレイ１００ｅ上の着脱式トレイ１に受容される。第１方向Ｄ１は、ローラ対１３８を構成する２つのローラの共通接線を通る方向であって、主走査方向（第２方向）Ｄ２と直交する方向である。
【００３４】
着脱式トレイ１は、図３に示すように、受容部材２と、一対のガイド部材３と、当接部材４、ストッパ部材５とを有する。受容部材２は、排出口１００ｆから排出された用紙Ｐを受容するための受容面２ａを有する。受容面２ａは、図２に示すように、着脱式トレイ１が受容トレイ１００ｅに装着された状態において、第１方向Ｄ１の下流側端部が上流側端部よりも上方となるように傾斜している。受容面２ａは、主走査方向Ｄ２に沿って平行な平面である。なお、本実施形態において、受容面２ａに平行な方向であって主走査方向Ｄ２と直交する方向は、第１方向Ｄ１とほぼ平行である。
【００３５】
一対のガイド部材３は、図３に示すように、受容部材２の第１方向Ｄ１の中央と上流側端部との間において、主走査方向Ｄ２に移動可能に受容部材２に取り付けられている。一対のガイド部材３のそれぞれは、受容面２ａよりも上方に突出しその突出方向が長手方向Ｄ３となるように形成された板状部材から構成されている。
【００３６】
一対のガイド部材３のそれぞれには、主走査方向Ｄ２における内側に向かって凸形状となるように形成された凸形状部３ａが形成されている。凸形状部３ａは、ガイド部材３の長手方向Ｄ３と直交する幅方向の中央部分が、内側に突出することで先端３ａ１が尖るように形成されている。つまり、凸形状部３ａの先端３ａ１は用紙Ｐと点接触可能な形状を有している。凸形状部３ａは、ガイド部材３の長手方向Ｄ３に沿って連続的に形成されている。
【００３７】
また、一対のガイド部材３は、凸形状部３ａの先端３ａ１が主走査方向Ｄ２に沿って互いに対向するように、配置されている。また、一対のガイド部材３は、着脱式トレイ１が受容トレイ１００ｅに装着された状態において、凸形状部３ａの先端３ａ１が、排出口１００ｆから排出されて受容面２ａに向かって落下する用紙Ｐの主走査方向Ｄ２の両側に当接する位置に配置され、当該用紙Ｐを主走査方向Ｄ２の両側からガイドするように構成されている。
【００３８】
また、一対のガイド部材３は、図２に示すように、着脱式トレイ１が受容トレイ１００ｅに装着された状態において、凸形状部３ａの先端３ａ１が上方になるほど、第１方向Ｄ１の下流側に位置するように、傾いて延在している。換言すると、凸形状部３ａの先端３ａ１は、その上方が下方よりも第1方向Ｄ１の下流側に位置するように傾いて延在している。
【００３９】
一対のガイド部材３のそれぞれには、図３に示すように、４つの傾斜面６〜９が形成されている。傾斜面６は、ガイド部材３の内側面の一部を構成しており、ガイド部材３の第１方向Ｄ１の上流側端部に形成されている。傾斜面６は、ガイド部材３の上流側端部から凸形状部３ａの先端３ａ１に近づくほど主走査方向Ｄ２に沿って内側に位置するように傾斜している。また、傾斜面６は、ガイド部材３の上流側端部から先端３ａ１にかけて形成されている。
【００４０】
傾斜面７は、ガイド部材３の内側面の一部を構成しており、ガイド部材３の第１方向Ｄ１の下流側端部に形成されている。傾斜面７は、ガイド部材３の下流側端部から凸形状部３ａの先端３ａ１に近づくほど主走査方向Ｄ２に沿って内側に位置するように傾斜している。また、傾斜面７は、ガイド部材３の下流側端部から先端３ａ１にかけて形成されている。
【００４１】
傾斜面８は、ガイド部材３の上端部に形成されており、ガイド部材３の上面の一部を構成している。傾斜面８は、ガイド部材３の主走査方向Ｄ２の内側端部から外側端部に近づくほど上方に位置するように傾斜している。また、傾斜面８は、ガイド部材３の第１方向Ｄ１の上流側端部から先端３ａ１まで延在している。
【００４２】
傾斜面９もガイド部材３の上端部に形成されており、ガイド部材３の上面の一部を構成している。傾斜面９は、第１方向Ｄ１の上流側端部から下流側端部に近づくほど上方に位置するように傾斜している。また、傾斜面９は、ガイド部材３の第１方向Ｄ１の上流側端部からガイド部材３の中央まで延在している。傾斜面９は、傾斜面８よりも主走査方向Ｄ２の外側に配置されている。
【００４３】
なお、ガイド部材３の上端部に形成されており、ガイド部材３の上面の一部を構成する面１０は、着脱式トレイ１が受容トレイ１００ｅに装着された状態で、ほぼ水平となるように形成されている。
【００４４】
当接部材４は、図２及び図３に示すように、平板から構成されており、受容部材２の第１方向Ｄ１の上流側端部に取り付けられている。つまり、当接部材４は、受容部材２の受容面２ａよりも第１方向Ｄ１の上流側に設けられている。また、当接部材４は、受容部材２に回動可能に取り付けられている。そして、当接部材４は、図２に示すように、着脱式トレイ１が受容トレイ１００ｅに装着された状態において、受容面２ａよりも上方に突出するように立設された状態で側壁１００ｓ１と対向して配置される。当接部材４は、排出口１００ｆから排出され受容面２ａに受容される用紙Ｐの上流側端部と当接する当接面４ａを有する。当接面４ａは、主走査方向Ｄ２に沿って平らな平面である。
【００４５】
ストッパ部材５は、図２に示すように、上端が受容面２ａよりも上方に位置し、第１方向Ｄ１において、受容面２ａよりも下流側であって排出口１００ｆから排出された用紙Ｐの下流側端部に当接可能に受容部材２に取り付けられている。つまり、ストッパ部材５は、用紙Ｐが受容面２ａ外に飛び出すのを防止する機能を有する。ストッパ部材５は、排出口１００ｆから排出された用紙Ｐと当接する当接板５ａと、当接板５ａを支持する支持部５ｂとを有する。支持部５ｂは、着脱式トレイ１が受容トレイ１００ｅに装着されたときに、当接板５ａが鉛直方向に立設する状態で当接板５ａを支持する。支持部５ｂは、図３に示すように、第１方向Ｄ１において、受容面２ａと受容部材２の下流側端部との間において、第１方向Ｄ１に移動可能に受容部材２に取り付けられている。
【００４６】
押圧部１４０は、図４（ａ）に示すように、押圧部材１４１、アーム１４２，１４３及び軸１４４を含む。軸１４４は、円柱状であり、主走査方向Ｄ２に延在している。また、軸１４４は、主走査方向Ｄ２に延在する軸線１４４ｘを中心に回転可能に、筐体１００ａに支持されている。押圧部材１４１は、１つのセンターアーム１４１ａ及び２つのサイドアーム１４１ｂを含む。なお、センターアーム１４１ａ、サイドアーム１４１ｂは、以下、単にアーム１４１ａ，１４１ｂとも称することがある。各アーム１４１ａ，１４１ｂ，１４２，１４３は、細長い板状の部材であり、軸１４４から突出して形成されている。アーム１４１ａ，１４１ｂ，１４２，１４３は、軸１４４の回転に伴い、軸線１４４ｘを中心として共に揺動する。
【００４７】
センターアーム１４１ａは、主走査方向Ｄ２において、軸１４４の中央に配置されている。アーム１４２，１４３は、軸１４４ｘの主走査方向一端及び他端にそれぞれ配置されている。サイドアーム１４１ｂは、主走査方向Ｄ２において、センターアーム１４１ａとアーム１４２との間及びセンターアーム１４１ａとアーム１４３との間にそれぞれ配置されている。
【００４８】
アーム１４１ａ，１４１ｂ，１４２，１４３のうち、アーム１４２，１４３は排出口１００ｆから突出せず筐体１００ａ内に配置されているのに対し、アーム１４１ａ，１４１ｂは排出口１００ｆから突出している。
【００４９】
センターアーム１４１ａは、排出口１００ｆの主走査方向中央に位置し、用紙Ｐの幅方向中央部分に接触する。サイドアーム１４１ｂは、排出口１００ｆの主走査方向一端及び他端にそれぞれ位置し、用紙Ｐの幅方向一端及び他端にそれぞれ接触する。サイドアーム１４１ｂの長さは、互いに同じであり、センターアーム１４１ａの長さよりも短い。センターアーム１４１ａにおける第１方向Ｄ１下流側の先端部分は、上向きに湾曲している。
【００５０】
アーム１４１ａ，１４１ｂの裏面（排出口１００ｆと対向する面）は、それぞれ、排出口１００ｆから排出された用紙Ｐと接触する接触面１４１ａ１，１４１ｂ１である（図４（ａ）参照）。
【００５１】
押圧部材１４１は、接触面１４１ａ１，１４１ｂ１に用紙Ｐが接触していないとき、初期位置（図４（ｂ）において実線で示す位置）を取る。このとき、押圧部材１４１には外力が作用していない。押圧部材１４１は、初期位置から中間位置（図４（ｂ）において破線で示す位置）を経由して最上位置（図４（ｂ）において二点鎖線で示す位置）までの揺動範囲ＳＲにおいて、揺動可能である。初期位置は、押圧部材１４１が取り得る位置のうち、押圧部材１４１における第１方向Ｄ１下流側の先端部分が最も下方となる位置である。中間位置は、押圧部材１４１の先端部分が初期位置のときよりも上方にある位置である。最上位置は、押圧部材１４１の先端部分が初期位置及び中間位置のときよりも上方にある位置であり、当該先端部分が最も上方となる位置である。また、最上位置は、押圧部材１４１の先端部分が一対のガイド部材３の上端よりも上方となる位置である。揺動範囲ＳＲは、初期位置から中間位置までの第１範囲ＳＲ１、及び、中間位置から最上位置までの第２範囲ＳＲ２を含む。第１範囲ＳＲ１よりも第２範囲ＳＲ２の方が上方に位置する。
【００５２】
押圧部材１４１は、排出口１００ｆから排出された用紙Ｐの先端が接触面１４１ａ１，１４１ｂ１に接触したときに、用紙Ｐからの外力を受けて、揺動する。つまり、押圧部材１４１が、第１範囲ＳＲ１から第２範囲ＳＲ２に向けて揺動し、第２範囲ＳＲ２に至る。その後、押圧部材１４１は、第２範囲ＳＲ２から第１範囲ＳＲ１に向けて揺動し、初期位置に至ったとき、又は、接触面１４１ａ１，１４１ｂ１が受容面２ａに受容された用紙Ｐと接触したときに静止する。用紙Ｐは、押圧部材１４１を第１範囲ＳＲ１から第２範囲ＳＲ２に向けて揺動させた後、ストッパ部材５に向かう。そして用紙Ｐは、先端がストッパ部材５に接触した後、受容面２ａに落下し、受容面２ａに支持されつつ第１方向Ｄ１と逆の方向に移動して、後端が当接面４ａに接触したときに静止する。
【００５３】
また、押圧部材１４１は、受容面２ａに受容された用紙Ｐの量に応じて、揺動する（図４（ｃ）参照）。具体的には、押圧部材１４１は、接触面１４１ａ１，１４１ｂ１に用紙Ｐが接触していないとき、及び、接触面１４１ａ１，１４１ｂ１に受容面２ａに受容された所定量以下の用紙Ｐが接触しているとき、第１範囲ＳＲ１内の位置を取る。所定量の用紙Ｐが受容面２ａに受容され、接触面１４１ａ１，１４１ｂ１が当該用紙Ｐのうち最も上方にある用紙Ｐと接触しているとき、押圧部材１４１は中間位置（図４（ｃ）において実線で示す位置）を取る。図４（ｃ）において破線で示す位置は、初期位置である。
【００５４】
なお、図４（ｂ），（ｃ）ではアーム１４１ａ，１４１ｂのうちセンターアーム１４１ａのみを示しているが、サイドアーム１４１ｂも軸１４４からセンターアーム１４１ａと同じ方向に突出している。
【００５５】
このように、押圧部材１４１は、接触面１４１ａ１，１４１ｂ１が排出口１００ｆから排出された用紙Ｐと接触して当該用紙Ｐを受容トレイ１００ｅに向けて押圧するように構成されている。押圧部材１４１は、受容トレイ１００ｅからの用紙Ｐの落下を防止する機能、用紙Ｐのカールを抑制する機能等を有する。
【００５６】
アーム１４３には、満載センサ１４３Ｓが取り付けられている。満載センサ１４３Ｓは、発光部及び発光部と対向して配置された受光部を有し、発光部が発した光を受光部が受光したときにＯＮ信号、受光しないときにＯＦＦ信号を出力する。押圧部材１４１が第１範囲ＳＲ１にあるとき、発光部が発した光は、アーム１４３によって遮られ、受光部によって受光されないため、満載センサ１４３ＳはＯＦＦ信号を出力する。押圧部材１４１が第２範囲ＳＲ２にあるとき、発光部が発した光は、アーム１４３によって遮られることなく、受光部によって受光されるため、満載センサ１４３ＳはＯＮ信号を出力する。制御部１８０は、満載センサ１４３Ｓから所定時間以上ＯＮ信号を受信した場合、受容面２ａに所定量の用紙Ｐが受容されたと判定する。なお、用紙Ｐが排出口１００ｆから排出されることで押圧部材１４１が中間位置を通るときに、センサ１４３ＳからＯＮ信号が出力される。しかし、このときセンサ１４３ＳからＯＮ信号が出力される時間は上記所定時間よりも短いため、制御部１８０は着脱トレイ１に最大量の用紙Ｐが積載されたと判定しない。
【００５７】
制御部１８０は、演算処理装置であるＣＰＵ（Central Processing Unit）、ＲＯＭ（Read Only Memory）、ＲＡＭ（Random Access Memory）、ＡＳＩＣ（Application Specific Integrated Circuit）、Ｉ／Ｆ（Interface）及びＩ／Ｏ（Input/Output Port）を含む。ＲＯＭは、ＣＰＵが実行するプログラム等の固定データを記憶している。ＲＡＭは、ＣＰＵがプログラムを実行するために必要なデータを一時的に記憶する。ＡＳＩＣは、画像データの書き換え、並び替え等（例えば、信号処理や画像処理）を行う。Ｉ／Ｆは、外部装置（例えば、プリンタ１に接続されたＰＣ）とデータの送受信を行う。Ｉ／Ｏは、各種センサと信号の送受信を行う。ＣＰＵは、制御部１８０に含まれるＣＰＵ以外の各部と電気的に接続されており、各部から受信したデータに基づいて制御を行う。
【００５８】
排出口１００ｆから排出された用紙Ｐの動作について、図５及び図６を参照しつつ以下に説明する。用紙Ｐは、搬送機構１３０のローラ対１３８によって排出口１００ｆから排出されると、図５（ａ）に示すように、押圧部材１４１に当接する。このとき、押圧部材１４１は、用紙Ｐからの外力により揺動する。そして、用紙Ｐは、押圧部材１４１によりストッパ部材５を飛び越えないように押さえられた状態で、第１方向Ｄ１の下流側端部が一対のガイド部材３上を通過し、図５（ｂ）に示すように、ストッパ部材５の当接板５ａに当接する。この後、用紙Ｐは、自重及び押圧部材１４１の押圧により、受容面２ａに向かって落下する。なお、ストッパ部材５は、用紙Ｐと当接したときに当該用紙Ｐの第１方向Ｄ１の上流側端部が一対のガイド部材３の先端３ａ１を通過しない位置に配置されている。換言すると、一対のガイド部材３の先端３ａ１は、ストッパ部材５に当接する用紙Ｐの第１方向Ｄ１の上流側端部よりも下流側に配置されている。このため、用紙Ｐが、後述するように当接面４ａに向かって受容面２ａをすべり落ちる際に、用紙Ｐが凸形状部３ａの先端３ａ１に引っ掛かるのを防ぐことが可能となる。
【００５９】
通常、用紙Ｐの第１方向Ｄ１の下流側端部は、上述のように一対のガイド部材３上を通過するが、搬送機構１３０によって搬送される用紙Ｐの斜行状態によっては、用紙Ｐと搬送経路との接触によって用紙Ｐの搬送力が低下することがある。この場合に、用紙Ｐの下流側端部が一対のガイド部材３の先端３ａ１の上端に接触することがあるが、一対のガイド部材３の先端３ａ１は上方にあるほど排出口１００ｆから第１方向Ｄ１に離れているので、用紙Ｐが凸形状部３ａの先端３ａ１と排出口１００ｆとの間で撓みやすくなる。このように用紙Ｐが撓みやすくなることで、用紙Ｐの第１方向Ｄ１の下流側端部が凸形状部３ａの先端３ａ１を通過しやすくなり、用紙Ｐが凸形状部３ａの先端３ａ１と排出口１００ｆとの間で詰まりにくくなる。また、一対のガイド部材３は、傾斜面６を有している。このため、傾斜面６を有していないものと比して、排出口１００ｆから排出された用紙Ｐが、一対のガイド部材３の凸形状部３ａの先端３ａ１と排出口１００ｆとの間で詰まりにくくなる。
【００６０】
用紙Ｐは排出口１００ｆから斜行した状態で排出されることがあるため、ストッパ部材５に当接した後、受容面２ａに向かって落下する用紙Ｐは、図６（ａ）に示すように、用紙Ｐの第１方向Ｄ１の上流側の右側端部がガイド部材３と鉛直方向に重なっていることがある。この場合でも、ガイド部材３には傾斜面８が形成されているため、用紙Ｐは、落下する際に左側に寄せられて一対のガイド部材３の先端３ａ間に配置される。つまり、傾斜面８によって用紙Ｐを受容面２ａへと導きやすくなる。
【００６１】
受容面２ａに落下した用紙Ｐは、受容面２ａの傾斜に沿って下方に滑り落ちる。このとき、図６（ｂ）に示すように、用紙Ｐが斜行した状態でも、用紙Ｐと左側のガイド部材３の先端３ａ１とが接触し、当該用紙Ｐが接触点Ｑ１を中心として時計周りに回転し、斜行が補正される。
【００６２】
この後、用紙Ｐの斜行が完全に補正されていない状態で、用紙Ｐの第１方向Ｄ１の上流側の左側端部が、図６（ｃ）中二点鎖線で示すように、当接面４ａに当接することがある。この場合でも、当接面４ａに当接した用紙Ｐには、一対のガイド部材３の先端３ａ１間に挟まれた状態で、重心Ｑ２を中心として時計回りに回転力が働く。このとき、当接面４ａが平面であるため、用紙Ｐの第１方向Ｄ１の上流側の左側端部が当接面４ａに沿って左側に移動し、用紙Ｐの上流側の右側端部が当接面４ａに当接する。こうして、用紙Ｐは、図６（ｃ）中実線で示すように、第１方向Ｄ１の上流側端部全体が当接面４ａに当接し、斜行が補正される。このように排出口１００ｆから着脱式トレイ１に排出される用紙Ｐは、ある程度斜行していても、一対のガイド部材３によって補正されつつガイド部材３間で整列される。
【００６３】
一対のガイド部材３は凸形状部３ａを有しているため、図６（ａ）中二点鎖線で示す従来の板状の一対のガイド部材Ｇよりも主走査方向Ｄ２における離隔距離を小さくすることができる。仮に一対のガイド部材Ｇの離隔距離を一対のガイド部材３と同じ距離となるように、その幅を狭めると、用紙Ｐが一対のガイド部材Ｇ上に乗った状態又は一対のガイド部材Ｇ間で詰まった状態となって、受容面２ａに向かって落下しなくなる。このため、一対のガイド部材Ｇを採用する際には、斜行した用紙Ｐの外側に配置させるために、図６（ａ）中二点鎖線で示す位置まで広げる必要がある。しかしながら、本実施形態における一対のガイド部材３は、一対のガイド部材Ｇよりも主走査方向Ｄ２の離隔距離を狭めて配置しても、上述したように斜行を補正しつつ受容面２ａ上で整列させることができる。このように一対のガイド部材３に凸形状部３ａを形成することで、一対のガイド部材３の離隔距離を小さくできる分、一対のガイド部材３間の用紙Ｐの整列性が向上する。
【００６４】
また、一対のガイド部材３は主走査方向Ｄ２に移動可能に構成されているため、ユーザが誤って、一対のガイド部材３を、例えば、図６（ａ）中二点鎖線で示すように用紙Ｐの幅よりも小さい幅に配置することがある。この場合、一対のガイド部材３は傾斜面９を有しているため、排出口１００ｆから排出された用紙Ｐを排出口１００ｆと一対のガイド部材３との間で詰まらせずに一対のガイド部材３上に配置させやすくなる。このように用紙Ｐを一対のガイド部材３よりも上方の位置に配置させることが可能であると、押圧部材１４１が第２範囲ＳＲ２に保持されることとなる。このため、満載センサ１４３ＳはＯＮ信号を出力し続ける。
【００６５】
次いで、図７を参照し、制御部１８０が実行する制御内容について説明する。
【００６６】
制御部１８０は、先ず、外部装置から記録指令を受信したか否かを判定する（Ｆ１）。記録指令を受信していない場合（Ｆ１：ＮＯ）、制御部１８０は、処理をＦ１に戻す。記録指令を受信した場合（Ｆ１：ＹＥＳ）、制御部１８０は、記録動作を実行する（Ｆ２）。
【００６７】
Ｆ２を行う際、制御部１８０は、Ｆ１で受信した記録指令に基づいて、用紙Ｐに画像が記録されるよう、搬送機構１３０による用紙Ｐの搬送動作、及び、用紙Ｐの搬送に同期したヘッド１１０ａ，１１０ｂによる液体吐出動作を制御する。こうして、排出口１００ｆから画像が記録された用紙Ｐが着脱式トレイ１に排出される。
【００６８】
次に、制御部１８０は、記録指令に基づく所定の用紙枚数分の記録が終了したか否かを判定する（Ｆ３）。所定の用紙枚数分の記録が終了した場合（Ｆ３：ＹＥＳ）、記録動作が終了し、当該ルーチンを終了する。
【００６９】
所定の用紙枚数分の記録が終了していない場合（Ｆ３：ＮＯ）、制御部１８０は、満載センサ１４３Ｓからの信号に基づいて、着脱式トレイ１に最大量の用紙Ｐが積載されたか否かを判定する（Ｆ４）。制御部１８０は、着脱式トレイ１に最大量の用紙Ｐが積載されていない場合（Ｆ４：ＮＯ）、引き続き用紙Ｐに対する記録動作が実行される。一方、制御部１８０は、着脱式トレイ１に最大量の用紙Ｐが積載された場合（Ｆ４：ＹＥＳ）、記録動作を停止する（Ｆ５）。これにより、着脱式トレイ１が受容可能な用紙Ｐの許容量を超える用紙Ｐが排出口１００ｆから排出されるのを防ぐことが可能となる。このとき、スピーカ等の出力手段（不図示）を介してユーザに用紙Ｐが最大量に達したことを報知してもよい。こうして、当該ルーチンを終了する。
【００７０】
また、ユーザが誤って、一対のガイド部材３の主走査方向Ｄ２の間隔を用紙Ｐの幅よりも小さい状態に配置することがある。この場合、着脱式トレイ１に排出された用紙Ｐは、一対のガイド部材３上に配置される。このため、満載センサ１４３ＳからはＯＮ信号が所定時間以上出力される。したがって、Ｆ４の処理においては、着脱式トレイ１に最大量の用紙Ｐが積載されたか否かだけではなく、ガイド部材３よりも上方の位置に用紙Ｐが配置されているかも判定することとなる。そして、ガイド部材３よりも上方の位置に用紙Ｐがある場合、制御部１８０は、満載センサ１４３Ｓからの信号に基づいて、上述と同様に記録動作を停止する（Ｆ５）。これにより、用紙Ｐがガイド部材３よりも上方の位置に配置された状態で、用紙Ｐが排出口１００ｆから排出されるのを防止することが可能となる。こうして、当該ルーチンを終了する。
【００７１】
以上に述べたように、本実施形態のプリンタ１００の着脱式トレイ１によると、一対のガイド部材３のそれぞれが凸形状部３ａを有しているため、一対のガイド部材３の先端３ａ１間を用紙Ｐの幅よりも著しく大きく広げなくても、排出口１００ｆから斜行して排出された用紙Ｐが一対のガイド部材３間で詰まるのを抑制しつつ、用紙Ｐの整列性を向上させることが可能となる。
【００７２】
一対のガイド部材３が主走査方向Ｄ２に沿って移動可能に受容部材２に支持されている。これにより、用紙Ｐのサイズに応じて、一対のガイド部材３の主走査方向Ｄ２の間隔を調整することが可能となる。
【００７３】
ストッパ部材５は、第１方向Ｄ１に移動可能に受容部材２に支持されている。これにより、用紙Ｐのサイズに応じて、ストッパ部材５の位置を調整することが可能となる。
【００７４】
一対のガイド部材３は、凸形状部３ａの先端３ａ１が主走査方向Ｄ２に沿って互いに対向する位置に配置されている。これにより、用紙Ｐの幅以上であるものの一対のガイド部材３の主走査方向Ｄ２の間隔を、受容面２ａに平行であって主走査方向Ｄ２に直交する方向において、凸形状部３ａの先端３ａ１がずれて配置された一対のガイド部材よりも狭く配置することが可能となる。この結果、受容面２ａ上における用紙Ｐの整列性を向上させることが可能となる。なお、先端がずれて配置された一対のガイド部材はそのずれた分だけ、上述の一対のガイド部材Ｇと同様に、一対のガイド部材を外側に広げるように配置しないと、一対のガイド部材間に用紙Ｐが詰まる虞がある。
【００７５】
また、凸形状部３ａの先端３ａ１が用紙Ｐと点接触可能な形状に形成されている。これにより、用紙Ｐと接触する部位が受容面２ａに平行であって主走査方向Ｄ２に直交する方向に長いものと比して、一対のガイド部材３の主走査方向Ｄ２の間隔をより狭くすることが可能となる。このため、用紙Ｐの整列性をより向上させることができる。
【００７６】
また、受容トレイ１００ｅの当接部材４と対向する側壁１００ｓ１の面が、例えば、凹凸形状であっても、着脱式トレイ１が平らな当接面４ａを有する当接部材４を含むため、用紙Ｐの斜行を補正することが可能となる。
【００７７】
上述の実施形態における受容部材２は、第１方向Ｄ１において、下流側端部が上流側端部よりも上方となるように傾斜する受容面２ａを有していたが、受容面は水平でもよい。この第１変形例における受容部材２０２は、図８に示すように、平板部材から構成されており、水平な受容面２０２ａを有する。この場合、ストッパ部材５が受容面に受容される用紙Ｐの第１方向Ｄ１の下流側端部と当接する当接部材となる。このため、上述の当接部材４が受容部材２０２に取り付けられていない。
【００７８】
この第１変形例でも、排出口１００ｆから排出された用紙Ｐは、第１方向Ｄ１の下流側端部が一対のガイド部材３上を通過してからストッパ部材５に当接する。図８には、用紙Ｐの第１方向Ｄ１の下流側端部の移動軌跡を二点鎖線で示す。用紙Ｐは、自重及び押圧部材１４１の押圧により、第１方向Ｄ１の下流側端部が一対のガイド部材３上を通過してからストッパ部材５に当接する間にも、受容面２０２ａに向かって落下する。一対のガイド部材３は、受容面２０２ａに向かって落下する用紙Ｐの主走査方向Ｄ２の両側に当接する位置に配置されている。このため、用紙Ｐが落下しつつ第１方向Ｄ１の下流側端部がストッパ部材５に当接するまでに、用紙Ｐが一対のガイド部材３の凸形状部３ａの先端３ａ１によって斜行が補正される。この第１変形例においても、上述と同様に一対のガイド部材３のそれぞれが凸形状部３ａを有しているため、一対のガイド部材３の先端３ａ１間を用紙Ｐの幅よりも著しく大きく広げなくても、排出口１００ｆから斜行して排出された用紙Ｐが一対のガイド部材３間で詰まるのを抑制しつつ、用紙Ｐの整列性を向上させることが可能となる。また、上述の実施形態と同様な構成を有する部分については、同様な効果を得ることができる。また、排出口１００ｆから排出された用紙Ｐは、第１方向Ｄ１の下流側端部が一対のガイド部材３上を通過してからストッパ部材５に当接するまでに、受容面２０２ａ上に落下した場合でも、受容面２０２ａは水平であるため、用紙Ｐがその第１方向Ｄ１側へ受容面２０２ａに沿って移動しやすくなる。このため、用紙Ｐが排出口１００ｆから斜行して排出されても当該用紙Ｐがより回転しやすく整列しやすくなる。
【００７９】
また、受容面は、下流側端部が上流側端部よりも下方となるように傾斜していてもよい。この第２変形例における受容部材３０２は、図９に示すように、平板部材から構成されており、第１方向Ｄ１において、下流側端部が上流側端部よりも下方となるように傾斜する受容面３０２ａを有する。この場合も、ストッパ部材５が受容面に受容される用紙Ｐの第１方向Ｄ１の下流側端部と当接する当接部材となる。このため、上述の当接部材４が受容部材３０２に取り付けられていない。また、この場合、受容部材３０２の第１方向Ｄ１の下流側端部が下方に配置されるため、ストッパ部材５及び一対のガイド部材３の延在長が上述のものよりも長く形成されている。
【００８０】
この第２変形例でも、排出口１００ｆから排出された用紙Ｐは、第１方向Ｄ１の下流側端部が一対のガイド部材３上を通過してからストッパ部材５に当接する。図９には、用紙Ｐの第１方向Ｄ１の下流側端部の移動軌跡を二点鎖線で示す。用紙Ｐは、自重及び押圧部材１４１の押圧により、第１方向Ｄ１の下流側端部が一対のガイド部材３上を通過してからストッパ部材５に当接する間にも、受容面３０２ａに向かって落下する。一対のガイド部材３は、上述の第１変形例と同様に、受容面３０２ａに向かって落下する用紙Ｐの主走査方向Ｄ２の両側に当接する位置に配置されている。このため、用紙Ｐが落下しつつ第１方向Ｄ１の下流側端部がストッパ部材５に当接するまでに、用紙Ｐが一対のガイド部材３の凸形状部３ａの先端３ａ１によって斜行が補正される。この第２変形例においても、上述の第１変形例と同様な効果を得ることができる。また、排出口１００ｆから排出された用紙Ｐは、第１方向Ｄ１の下流側端部が一対のガイド部材３上を通過してからストッパ部材５に当接するまでに、受容面３０２ａ上に落下した場合でも、受容面３０２ａは下流側端部が上流側端部よりも下方となるように傾斜しているため、用紙Ｐがその第１方向Ｄ１側へ受容面３０２ａに沿って移動しやすくなる。このため、用紙Ｐが排出口１００ｆから斜行して排出されても当該用紙Ｐがより回転しやすく整列しやすくなる。
【００８１】
ガイド部材の変形例について、以下に説明する。図１０に示すように、ガイド部材４０３は、凸形状部が角柱部４０３ａで形成されていてもよい。この第３変形例におけるガイド部材４０３の場合、角柱部４０３ａの先端４０３ａ１が平面となるが、ガイド部材４０３の幅方向（受容面に平行であって主走査方向に直行する方向）Ｄ４における長さが全体の幅よりも短くなる。このため、ガイド部材４０３の主走査方向Ｄ２の間隔を狭くすることが可能となり、上述の実施形態と同様な効果を得ることができる。
【００８２】
図１１に示すように、ガイド部材５０３は、凸形状部がローラ５０３ａで形成されていてもよい。ローラ５０３ａは、ガイド部材５０３の延在方向両端に形成された一対のフランジ５０３ｂに回転可能に支持されている。この第４変形例におけるガイド部材５０３の場合、ローラ５０３ａの主走査方向Ｄ２の最も内側に位置する部分が先端５０３ａ１となる。この先端５０３ａ１は、用紙Ｐと点接触可能な形状となる。これにより、上述の実施形態と同様な効果を得ることができる。
【００８３】
図１２に示すように、ガイド部材６０３は、半円柱部材から構成されていてもよい。この第５変形例におけるガイド部材６０３の場合、上述の第４変形例のローラ５０３ａと同様に、凸形状部が曲面６０３ａ部分となり、曲面６０３ａの主走査方向Ｄ２の最も内側に位置する部分が先端６０３ａ１となる。この先端６０３ａ１は、用紙Ｐと点接触可能な形状となる。これにより、上述の実施形態と同様な効果を得ることができる。なお、ガイド部材は、円柱部材から構成されていてもよいし、三角柱部材から構成されていてもよい。これらにおいても上述の実施形態と同様の効果を得ることができる。
【００８４】
以上、本発明の好適な実施の形態について説明したが、本発明は上述の実施の形態に限られるものではなく、特許請求の範囲に記載した限りにおいて様々な変更が可能なものである。例えば、上述の実施形態においては、受容トレイ１００ｅ上に着脱式トレイ１が装着されることで排出装置１０１が構成されていたが、着脱式トレイ１と同等の構成が受容トレイ１００ｅに組み込まれることによって排出装置が構成されてもよい。つまり、受容部材２が上壁１００ｔで構成され、当該上壁１００ｔに一対のガイド部材３及びストッパ部材５が設けられ、当接部材４が側壁１００ｓ１で構成されていてもよい。このようなプリンタに含まれた排出装置においても、上述と同様な効果を得ることができる。
【００８５】
また、プリンタにおいて着脱式トレイ１が装着される位置（即ち、受容トレイの位置）は、筐体の上部に限定されず、筐体の側部等であってもよい。また、ガイド部材（凸形状部）は、鉛直方向に沿って延在していてもよいし、上方ほど排出口１００ｆに近づくように傾斜していてもよい。
【００８６】
また、上述の実施形態においては、ストッパ部材５がなくてもよい。また、一対のガイド部材３は、上述の傾斜面６〜９を有していなくてもよい。また、一対のガイド部材３は、移動不可能に受容部材２に固定されていてもよい。ストッパ部材５も、移動不可能に受容部材２に固定されていてもよい。また、用紙Ｐがガイド部材３よりも上方に配置されているかを検知する検知手段が設けられていなくてもよい。一対のガイド部材３は、受容面２ａに平行であって主走査方向Ｄ２と直交する方向において、先端３ａ１が若干ずれて配置されていてもよい。
【００８７】
また、当接部材４は、平板から構成されているが、受容面２ａに受容された用紙Ｐの主走査方向Ｄ２と中央部とその両端部との間に配置された一対の棒状部材から構成されていてもよい。この場合、一対の棒状部材に向かって受容面２ａをすべり落ちる用紙Ｐが斜行していても、当該用紙Ｐの第１方向Ｄ１の上流側の角部よりも主走査方向Ｄ２の内側に配置されておればよい。こうすれば、一対の棒状部材に当接する用紙Ｐが斜行していても、当該斜行を補正することが可能となる。
【００８８】
また、以上では、ノズルからインクを吐出することによって記録を行うプリンタに本発明を適用した例について説明したがこれには限られない。排出装置は、記録媒体を排出するものであればよい。また、記録媒体は、用紙に限定されず、布等であってもよい。また、吐出口からインク以外の液体を吐出する、プリンタ以外の液体吐出装置に本発明を適用することも可能である。また、本発明は、ライン式・シリアル式のいずれにも適用可能である。また、記録部は、インクジェット式に限定されず、レーザー式、サーマル式等であってもよい。
【符号の説明】
【００８９】
１  着脱式トレイ
２  受容部材
２ａ  受容面
３  ガイド部材
３ａ  凸形状部
３ａ１  先端
４  当接部材
４ａ  当接面
５  ストッパ部材
６  傾斜面（第１傾斜面）
８  傾斜面（第２傾斜面）
９  傾斜面（第３傾斜面）
１００  プリンタ
１００ｆ  排出口
１０１  排出装置
１０２  排出機構
１３０  搬送機構
１４０  押圧部（検知手段の一部）
１４３Ｓ  満載センサ（検知手段の一部）
１８０  制御部
Ｄ１  第１方向
Ｄ２  主走査方向（第２方向）
【図１】
0006790341.tif 000002
【図２】
0006790341.tif 000003
【図３】
0006790341.tif 000004
【図４】
0006790341.tif 000005
【図５】
0006790341.tif 000006
【図６】
0006790341.tif 000007
【図７】
0006790341.tif 000008
【図８】
0006790341.tif 000009
【図９】
0006790341.tif 000010
【図１０】
0006790341.tif 000011
【図１１】
0006790341.tif 000012
【図１２】
0006790341.tif 000013